(57)【特許請求の範囲】
【請求項１】
デジタル放送の放送局から衛星を介してデータブロック毎に時系列に送信されるデータと、前記放送局と同一内容のデータをデータブロック毎に蓄えたダウンロードデータ配信センタから電話回線を介して指定されたデータブロックで配信されるデータと、を受け入れるデジタル放送受信機であって、
前記デジタル放送受信機は、衛星放送データを受信する受信手段と、電話回線を介してデータの通信をする通信手段と、衛星から受信したデータ及び電話回線から取得したデータを保存する記録手段と、前記受信手段、前記通信手段及び前記記録手段を制御する制御手段と、を具備し、
前記放送局と前記ダウンロードデータ配信センタから送られるデータブロック毎のデータは、ｎ個に分割されたセクションブロックの集合体であり、前記セクションブロックの集合体が一定の送出周期で繰り返し送信されるものであり、
前記デジタル放送受信機は、前記受信手段で最初に受信したセクションブロック以後のセクションブロックを受信して放送局からのセクションブロックをダウンロードし、
前記デジタル放送受信機の前記制御手段は、前記最初のセクションブロックの受信後に、前記ダウンロードデータ配信センタへ接続し前記通信手段を通して前記最初に受信したセクションブロックより１つ前のセクションブロックを要求してダウンロードし、その後順次１つ前のセクションブロックをダウンロードし、
前記デジタル放送受信機では、前記衛星からと前記電話回線からのそれぞれのセクションブロックのダウンロードを同時に行う
ことを特徴とするデジタル放送受信機。
【請求項２】
請求項１に記載のデジタル放送受信機において、
前記衛星を介した放送局からダウンロードしたデータブロックにエラーがあった場合、前記制御手段は、前記電話回線経由のダウンロードの取得を一時中断して、前記エラーブロックについて前記電話回線を介して前記ダウンロードデータ配信センタからダウンロードを行う
ことを特徴とするデジタル放送受信機。
【請求項３】
請求項１に記載のデジタル放送受信機において、
前記受信手段は、衛星電波の受信状況を検出する機能を備え、衛星からの電波の受信状況が悪くなったことを検出した場合、前記制御手段は、受信状況が回復するまで、前記電話回線を介して前記ダウンロードデータ配信センタからダウンロードを行う
ことを特徴とするデジタル放送受信機。
【請求項４】
請求項１に記載のデジタル放送受信機において、
前記通信手段は、電話回線の状況を検出する機能を備え、電話回線の状況が悪いことを検出した場合、前記制御手段は、電話回線を切断して前記衛星を介して前記放送局からダウンロードを行う
ことを特徴とするデジタル放送受信機。
【請求項５】
請求項３又は４に記載のデジタル放送受信機において、
前記衛星からの電波の受信状況が悪くなった時、又は前記電話回線の状況が悪い時に、当該悪い状況を表示部に表示することを特徴とするデジタル放送受信機。
【発明の詳細な説明】
【０００１】
【発明の属する技術分野】
本発明はダウンロード機能を搭載したデジタル放送受信機に関する。
【０００２】
【従来の技術】
図４〜図７を用いてダウンロードに関する従来技術の例を説明する。まず、衛星経由でダウンロードするデータストリームについて説明する。例えば、ダウンロードデータの送り方として、ＤＬＴ（ＤｏｗｎＬｏａｄ  Ｔａｂｌｅ）とよばれるセクションブロックで送る方法がある。図４のように全ダウンロードデータを決まった容量のセクションブロックで送るために、ｎ個に分割する。そして、その分割した１つのデータブロックにセクションヘッダとＣＲＣデータ（誤り検出符号）を付加してＤＬＴの１セクション分とする。
【０００３】
全ダウンロードデータでは、Ｓｅｃｔｉｏｎ  ０からＳｅｃｔｉｏｎ  ｎ−１までのｎ個のセクションのＤＬＴが作成される。各ＤＬＴは図５のように時系列で１セクションずつ送出される。あるセクションブロック（Ｓｅｃｔｉｏｎ  ｋ）の送出時間と次のセクションブロック（Ｓｅｃｔｉｏｎ  ｋ＋１）の送出時間との間隔は送出間隔Ｔｌである。
【０００４】
また、図６のように、Ｓｅｃｔｉｏｎ  ０からＳｅｃｔｉｏｎ  ｎ−１まで送出後、再びｓｅｃｔｉｏｎ  ０からの送出を繰り返す。この送出の繰り返し間隔が送出周期Ｔ２である。
【０００５】
図７において、映像音声放送やダウンロードデータは放送局１より衛星２を介して放送される。デジタル放送受信機４では各ブロックの制御はＣＰＵ部８にて行っている。アンテナ３で受信した電波から、チューナ部５にて希望の周波数に同調し、トランスポートストリームを復調する。復調されたトランスポートストリームはＤＥＭＵＸ部６にて分離され、映像や音声ストリームはデコード部７にてデコードされＡＶ出力端子１２より出力される。
【０００６】
ダウンロードを行う場合、ＤＥＭＵＸ部６にて分離されたダウンロードストリームセクションブロックはＣＲＣにてエラーが無いことを確認して、図４のヘッダとＣＲＣの部分を削除して、ダウンロードデータの部分のみＲＡＭ９に保存される。
【０００７】
そして、全セクション分のデータが揃うまで受信を続ける。例えば図５及び図６のように、最初にＳｅｃｔｉｏｎ  ｋを受信すると、続いて送出間隔Ｔｌ毎に、Ｓｅｃｔｉｏｎ  ｋ＋１，ｋ＋２，…，ｎ−２，ｎ−１，０，１，２，…，ｋ−２，ｋ−１と順番に受信する。ここで、ＣＲＣのチェックにて誤りが発見された場合には、そのセクションブロックは破棄し、次に同じセクションブロックが放送されるまで待つことになる。全てのセクションデータが揃うと、全ダウンロードデータをＦＬＡＳＨメモリ１０に書き込む。
【０００８】
また、上記説明のように衛星経由のみでダウンロードを行う場合以外に、衛星経由とＭＯＤＥＭ部１１を用いて電話回線１３経由の両方を用いてデータのダウンロードを行う技術は特開平１１−２８９５２８号公報に公開されている。この技術はダウンロードデータの内容により、放送から取得するか、電話回線経由で取得するかを択一的に選択するものである。
【０００９】
【発明が解決しようとする課題】
従来の衛星経由のみのダウンロードでは、ダウンロード時間は最短でも送出周期Ｔ２だけ掛かる。さらにノイズなどで特定のセクションブロックが受信できなかった場合などは、そのセクションブロックが再送出されるまで、送出周期Ｔ２分の時間をさらに待たなくてはならない。
【００１０】
また、データを分けて一部を衛星経由のダウンロード、残りを電話回線経由のダウンロードで行う場合、ノイズなど伝送経路の悪化などから予定よりダウンロード時間が掛かってしまうことになる。
【００１１】
本発明の目的は、データのダウンロードに際して、衛星経由と電話回線経由との工夫ある併用により、ダウンロード時間を短縮することにある。
【００１２】
【課題を解決するために手段】
前記課題を解決するために、本発明は主として次のような構成を採用する。
【００１４】
デジタル放送の放送局から衛星を介してデータブロック毎に時系列に送信されるデータと、前記放送局と同一内容のデータをデータブロック毎に蓄えたダウンロードデータ配信センタから電話回線を介して指定されたデータブロックで配信されるデータと、を受け入れるデジタル放送受信機であって、
前記デジタル放送受信機は、衛星放送データを受信する受信手段と、電話回線を介してデータの通信をする通信手段と、衛星から受信したデータ及び電話回線から取得したデータを保存する記録手段と、前記受信手段、前記通信手段及び前記記録手段を制御する制御手段と、を具備し、
前記放送局と前記ダウンロードデータ配信センタから送られるデータブロック毎のデータは、ｎ個に分割されたセクションブロックの集合体であり、前記セクションブロックの集合体が一定の送出周期で繰り返し送信されるものであり、
前記デジタル放送受信機は、前記受信手段で最初に受信したセクションブロック以後のセクションブロックを受信して放送局からのセクションブロックをダウンロードし、
前記デジタル放送受信機の前記制御手段は、前記最初のセクションブロックの受信後に、前記ダウンロードデータ配信センタへ接続し前記通信手段を通して前記最初に受信したセクションブロックより１つ前のセクションブロックを要求してダウンロードし、その後順次１つ前のセクションブロックをダウンロードし、
前記デジタル放送受信機では、前記衛星からと前記電話回線からのそれぞれのセクションブロックのダウンロードを同時に行うデジタル放送受信機。
【００１８】
【発明の実施の形態】
本発明の第１の実施形態に係るデジタル放送システムについて、図１、図４、図５及び図６図を用いて説明する。図１において、映像音声放送やダウンロードデータは放送局１より衛星２を介して放送される。ダウンロードデータは従来例で述べたように、図４〜図６のように時系列にセクションブロック毎に送出されるとする。
【００１９】
また、電話回線１３を介したダウンロードデータ配信センター１６では、サーバ１４に第４図の送出ダウンロードデータと同様にセクションブロック毎に全部でｎ個のデータが蓄えられていて、データ配信コントロール部１５によって、指定されたセクションのデータを送出できるようになっている。
【００２０】
ダウンロードを行う場合、デジタル放送受信機４においてチューナ部５はダウンロードストリームが送出されている周波数に同調し、トランスポートストリームを復調する。復調されたトランスポートストリームからダウンロードのセクションブロックをＤＥＭＵＸ部６にて分離する。分離されたダウンロードセクションブロックデータは第４図のセクションヘッダによってそのブロックが第何セクションであるかを判別し、ＣＲＣデータにより誤りがあるかどうかを検出する。誤りがなかったデータブロックはヘッダとＣＲＣの部分を削除して、ダウンロードデータの部分のみＲＡＭ９に保存され、誤りが検出されたデータブロックは破棄される。
【００２１】
上記のように衛星経由でダウンロードデータを受信するのと同時に、デジタル放送受信機４は、ＭＯＤＥＭ部１１を用いて電話回線１３を介してダウンロードデータ配信センター１６に接続する。接続が完了すると、デジタル放送受信機４は希望するダウンロードセクションブロックをデータ配信センター１６へ要求する。データ配信センター１６ではデータ配信コントロール部１５にて受信機からの要求セクションを判別して、そのセクションブロックのデータをサーバ１４から取り出して、電話回線１３を介して送出する。ＭＯＤＥＭ部１１より受信したデータは衛星を経由して受信したデータと同様にＣＲＣデータにより誤りがないことを確認した後、ＲＡＭ９へ保存される。
【００２２】
そして、上記説明のように衛星経由と電話回線１３経由の両方にてデータのダウンロードを続け、全セクション分のデータが揃うと、ダウンロード配信センター１６との接続を終了した後、ダウンロードデータをＦＬＡＳＨメモリ１０に書きこむ。
【００２３】
次に、本発明の第２の実施形態に係るデジタル放送システムについて、図１、図２、図４、図５及び図６を用いて説明する。なお、第１の実施形態と同様の部分の説明は省略する。
【００２４】
ダウンロード時、ＭＯＤＥＭ部１１によりダウンロードデータ配信センター１６へ接続した後、サーバーヘダウンロードデータを要求する際に、以下のようなセクションブロックの順で要求する。
【００２５】
図２に示すように、まず衛星経由でダウンロードデータを受信する（２０１）。最初に受信したセクションブロックがＳｅｃｔｉｏｎ  ｋであるとする（２０２）。送出側では図５のように送出間隔Ｔｌ毎に、Ｓｅｃｔｉｏｎ  ｋ＋１，ｋ＋２，…，の順番に送出しているため、それを順次受信する（２０４）。また、最初のセクションブロックの受信後、データ放送のダウンロード配信センター１６へ接続した後（２０３）、Ｓｅｃｔｉｏｎ  ｋより１つ前のセクションを要求し、そのセクションブロックを取得し、その後順次一つ前のセクションを要求、取得する（２０５）。
【００２６】
以上のように衛星経由では送出される順番通りセクションの増加する方向（Ｓｅｃｔｉｏｎ  ｋ＋１，ｋ＋２，…，Ｓｅｃｔｉｏｎ  ｎ−１の次はＳｅｃｔｉｏｎ  ０となる）のセクションブロックを受信し続け、電話回線を介して要求・取得するセクションブロックは衛星経由とは逆のセクションの減少する方向（Ｓｅｃｔｉｏｎ  ｋ−１，ｋ−２，…，Ｓｅｃｔｉｏｎ  ０の次はＳｅｃｔｉｏｎｎ−１となる）、つまりダウンロードデータが放送される遅い順にセクションブロックを取得する。そして全セクションデータが揃うまでダウンロードを続ける（２０６）。全セクションが揃ったら電話回線を切断し、ダウンロードデータをＦＬＡＳＨメモリに書き込みダウンロードを終了する（２０７）。
【００２７】
次に、本発明の第３の実施形態に係るデジタル放送システムについて、図１、図３、図４、図５及び図６を用いて説明する。なお、第１、第２の実施形態と同様の部分の説明は省略する。
【００２８】
衛星より放送されるダウンロードデータは図５のように送出間隔Ｔｌ毎に、Ｓｅｃｔｉｏｎ  ｋ，ｋ＋１，ｋ＋２，…，の順番に送出している。ここでＳｅｃｔｉｏｎ  ｋの受信データが取得できなかったとすると、図６のように次のＳｅｃｔｉｏｎ  ｋが放送される送出周期Ｔ２の時間を待って取得しなければならない。
【００２９】
そこで、ダウンロード時、ＭＯＤＥＭ部１１によりダウンロードデータ配信センター１６へ接続した後、サーバ１４ヘダウンロードセクションブロックを要求する際に、以下のような方法で要求する。
【００３０】
図３に示すように衛星経由でＳｅｃｔｉｏｎ  ｋ−１のデータブロックを受信した場合、次に受信するはずのセクションブロックはＳｅｃｔｉｏｎ  ｋとなる（３０１）。この時、次に受信したＳｅｃｔｉｏｎ  ｋがＣＲＣによる誤り検出にてエラーを検出した場合（３０３）や、つぎにＳｅｃｔｉｏｎ  ｋ＋１を受信してしまいＳｅｃｔｉｏｎ  ｋが受信できなかった場合（３０２）に、電話回線を経由して受信できなかったＳｅｃｔｉｏｎ  ｋをデータ配信センター１６へ要求し、取得する（３０４）。衛星経由でのダウンロードは引き続き順次セクションブロックデータを受信する（３０５）。
【００３１】
ここで、前述した第２の実施形態と同時に実施した場合を考えると、通常時は衛星経由では、送出される順番通りセクションの増加する方向（Ｓｅｃｔｉｏｎｋ＋１，ｋ＋２，…）のセクションブロックを受信し続け、電話回線を介して要求・取得するセクションブロックはその逆のセクションの減少する方向（Ｓｅｃｔｉｏｎ  ｋ−１，ｋ−２，…）に取得するが、ノイズなどの影響で衛星経由であるセクションブロックデータに誤りが検出された場合や受信できなかった場合は、電話回線経由のダウンロードは今までの取得順序を一時中断して、取得できなかったセクションブロックの要求を最優先に行う。誤りがあったセクションブロックが正確に取得できたら、保留していたセクションブロックの順序で要求を再開する。
【００３２】
次に、本発明の第４の実施形態について図１を用いて説明する。なお、第１の実施形態と同様の部分の説明は省略する。
【００３３】
図１のデジタル放送受信機４において、チューナ部５には信号強度検出機能及びビットエラーレート検出機能が組み込まれているものを用いる。
【００３４】
ダウンロード実施中に、チューナ部５で検出した信号強度がある決められた値より小さい場合、ビットエラーレートがある決められた値より大きい場合、またセクションブロックを受信した後のＣＲＣによるエラー検出でエラー頻度がある決められた値より大きい場合、ＣＰＵ８は衛星経由のダウンロードはしばらく使えないと判断し、ＤＥＭＵＸ部６などを休止し、電話回線経由のみでダウンロードを行う。その後、チューナ部５にて信号強度やビットエラーレートが回復した場合に、ＤＥＭＵＸ部を再起動し、衛星経由のダウンロードを再開する。
【００３５】
次に、本発明の第５の実施形態について図１を用いて説明する。なお、第１の実施形態と同様の部分の説明は省略する。
【００３６】
図１のデジタル放送受信機４において、ＭＯＤＥＭ部１１には電話回線の接続状況検出機能が組み込まれているものを用いる。
【００３７】
ダウンロード実施中に、ＭＯＤＥＭ部１１で検出したビットレートがある決められた値より小さい場合、信号強度がある決められた値より小さい場合、また回線品質が悪い場合、ＣＰＵ８は回線経由のダウンロードは使えないと判断し、電話回線の接続を終了し、ＭＯＤＥＭ部１１を休止する。その後は衛星経由のみでダウンロードを行う。
【００３８】
なお、本実施形態では接続を終了した後は、衛星経由のみによるダウンロードを行うが、接続終了後もう一度接続し直して、接続状況が回復していれば衛星経由と電話回線経由のダウンロードを同時に行っても良い。また、衛星からの電波の受信状況、電話回線の状況が悪くなった時、その旨を表示するので、受信状態が容易に分かる。
【００３９】
以上説明したように、本発明の実施形態は次のような特徴を備えたものを含むものである。即ち、本発明の第１の実施形態では、デジタル放送の放送側において、ダウンロードデータをデータブロック毎に時系列に送信すると共に、同じ内容のダウンロードデータをデータブロック毎にデータブロックサーバに蓄えて電話回線（通信回線）を介して指定されたデータブロックを配信するデジタル放送システムであって、デジタル放送受信機において、衛星放送データを受信する手段、衛星から受信したデータを保存する記録手投、電話回線（通信回線）を介してデータの通信をする手投、電話回線から取得したデータを保存する手段を具備し、ダウンロードをする場合、データの取得方法として衛星経由と電話回線経由とをデータブロック毎に適宜に切り替えてダウンロードすることを特徴とする。
【００４０】
また、第２の実施形態では、上述のデジタル放送システムであって、放送を利用したダウンロードは順次送られたダウンロードデータブロックを順次保存し、最初に受信したダウンロードデータブロックの前の未受信ブロックから遡って電話回線経由でダウンロードし、トータルのダウンロード時間を短縮することを特徴とする。
【００４１】
また、第３の実施形態では、上述のデジタル放送システムであって、衛星からダウンロードしたデータブロックにエラーがあった場合、そのエラーブロックのダウンロードを優先的に電話回線経由にて行うことを特徴とする。
【００４２】
また、第４の実施形態では、上述のデジタル放送システムであって、電波の受信状況を判別する手段を具備し、衛星からの電波の受信状況が悪くなった場合、受信状況が回復するまでは電話回線経由のみにてダウンダウンロードを行うことを特徴とする。
【００４３】
また、第５の実施形態では、上述のデジタル放送システムであって、電話回線の状況を判別する手段を具備し、電話回線の状況が悪い場合、電話回線を切断し、衛星からの放送のみでダウンロード行うことを特徴とする。
【００４４】
【発明の効果】
本発明によれば、電話回線を介したデータ配信センターのダウンロードデータを衛星経由のダウンロードデータと同じようにセクションブロックで管理し、受信側では衛星からと電話回線からのダウンロードを同時に行うことによって、ダウンロード時間を短縮することが可能となる。
【００４５】
また、衛星からのダウンロードで最初に受信したダウンロードデータより前の未受信ブロックのダウンロードデータから順に遡って電話回線にてダウンロードを行うことによって、ダウンロード時間を大幅に短縮することが可能となる。
【００４６】
また、衛星経由で受信失敗したセクションブロックデータを優先的に電話回線にてダウンロードを行うことによって、余分な送出周期分の取得待ち時間を短縮することが可能となる。
【００４７】
また、受信状況が悪い場合に衛星経由のダウンロードを休止し電話回線経由のみでダウンロードすることにより、受信状況が悪い場合でもダウンロードが可能となり、また使用していない回路ブロックをスタンバイ状態にすることによって消費電力も削減される。
【００４８】
また、電話回線の接続状況が悪い場合に電話回線経由のダウンロードを中止することにより、通信費が節約でき、また使用していない回路ブロックをスタンバイ状態にすることによって消費電力も削減される。
【図面の簡単な説明】
【図１】本発明の実施形態に係るデジタル放送システムの全体構成を示すブロック図である。
【図２】本実施形態の一の動作態様を示すフローチャートである。
【図３】本実施形態の他の動作態様を示すフローチャートである。
【図４】デジタル放送のダウンロードストリームを説明する図である。
【図５】デジタル放送のダウンロードストリームにおけるセクションブロックの送出間隔を説明する図である。
【図６】デジタル放送のダウンロードストリームにおけるセクションｎ毎の繰り返し間隔を説明する図である。
【図７】従来技術におけるデジタル放送システムの全体構成を示すブロック図である。
【符号の説明】
１  放送局
２  衛星
３  アンテナ
４  デジタル放送受信機
５  チューナ
６  ＤＥＮＵＸ
７  ＤＥＣＯＤＥ
８  ＣＰＵ
９  ＲＡＭ
１０  ＦＬＡＳＨメモリ
１１  ＭＯＤＥＭ
１２  ＡＶ出力
１３  電話回線
１４  サーバ
１５  データ配信コントロール
１６  ダウンロード配信センタ
【図１】
0003673485.tif 000002
【図２】
0003673485.tif 000003
【図３】
0003673485.tif 000004
【図４】
0003673485.tif 000005
【図５】
0003673485.tif 000006
【図６】
0003673485.tif 000007
【図７】
0003673485.tif 000008